(57)【要約】      （修正有）【課題】耐久性の向上とデザインの自由度の向上を図る扇風機の首部の構造を提供する。【解決手段】扇風機の首部４は、支柱に取付けられている取付具６と、取付具６に取付けられており複数の角度保持孔７２が設けられている角度保持部材７と、モーター部に取付けられている首ホルダー５と、首ホルダー５に移動可能に設けられ角度保持部材７に向けて付勢されている角度保持ピン４４とを有し、取付具６と首ホルダー５とは相対的に回転可能に連結されており、角度保持ピン４４が複数の角度保持孔７２のうちのいずれか１つに入り込むことによって首ホルダー５と取付具６との角度が保持されるように構成され、取付具６は樹脂により形成されており、角度保持部材７は金属により形成されている。【選択図】図２
0003215502.tif 000002
【実用新案登録請求の範囲】
【請求項１】
支柱とモーター部とを連結する扇風機の首部の構造であって、
前記首部は、
前記支柱に取付けられている取付具と、
前記取付具に取付けられており、複数の角度保持孔が設けられている角度保持部材と、
前記モーター部に取付けられている首ホルダーと、
前記首ホルダーに移動可能に設けられ、前記角度保持部材に向けて付勢されている角度保持ピンと、
を有し、
前記取付具と前記首ホルダーとは相対的に回転可能に連結されており、前記角度保持ピンが前記複数の角度保持孔のうちのいずれか１つに入り込むことによって、前記首ホルダーと前記取付具との角度が保持され、
前記取付具は樹脂により形成されており、前記角度保持部材は金属により形成されていることを特徴とする扇風機の首部の構造。
【請求項２】
前記取付具は、前記首ホルダーを挟む２つの支持部を有し、
前記角度保持部材は、前記２つの支持部のうちの一方に取付けられていることを特徴とする請求項１に記載の扇風機の首部の構造。
【請求項３】
前記２つの支持部のうちの前記一方には、前記２つの支持部のうちの他方に対向する側の面に凹部が設けられており、
前記角度保持部材は、前記凹部に嵌め込まれていることを特徴とする請求項２に記載の扇風機の首部の構造。
【請求項４】
前記取付具には、前記角度保持部材を保持する保持部が設けられることを特徴とする請求項１から３のいずれか１項に記載の扇風機の首部の構造。
【請求項５】
前記角度保持部材の一部分は、前記２つの支持部のうちの前記一方と前記保持部とに挟まれて保持されることを特徴とする請求項４に記載の扇風機の首部の構造。
【請求項６】
前記角度保持部材は、板状の部材であることを特徴とする請求項１から５のいずれか１項に記載の扇風機の首部の構造。
【考案の詳細な説明】
【技術分野】
【０００１】
本考案は、扇風機の首部の構造に関する。特には、扇風機の主軸（支柱）とモーター部とを上下方向に回転可能に連結する首部の構造に関する。
【背景技術】
【０００２】
扇風機には、モーター部と支柱（主軸）とが首部によって連結される構成を有するものがある。そして、モーター部の上下方向の向き（チルト角度）を変更できるように、モーター部と主軸とは、首部によって上下方向（チルト方向）に回転可能に連結されているものがある。特許文献１には、ネックピースが樹脂材料により形成される構成が開示されている。このような首部は、モーター部のチルト角度を変更できるように可動部を有する。このため、首部には耐久性が要求される。また、使用者の操作によらずにチルト角度が変化しないように、首部には、使用者等が設定したチルト角度を保持できる強度が要求される。特に、業務用の扇風機（工場や事務所などで用いられる扇風機）は、一般家庭で用いられる扇風機に比較して耐久性が要求されることから、首部の強度を高くしたいという要求が高い。このため、業務用扇風機の首部を構成するネックピースには、金属板が用いられている。しかしながら、扇風機の首部を構成する部材が金属板からなる構成であると、樹脂材料からなる構成に比較して形状の自由度が低い。
【先行技術文献】
【特許文献】
【０００３】
【特許文献１】特開２００３−１０６２９１号公報
【考案の概要】
【考案が解決しようとする課題】
【０００４】
上記実情に鑑み、本考案が解決しようとする課題は、形状の自由度を高めつつ、強度や耐久性を確保できる扇風機の首部の構造を提供することである。
【課題を解決するための手段】
【０００５】
前記課題を解決するため、本考案は、支柱とモーター部とを連結する扇風機の首部の構造であって、前記首部は、前記支柱に取付けられている取付具と、前記取付具に取付けられており、複数の角度保持孔が設けられている角度保持部材と、前記モーター部に取付けられている首ホルダーと、前記首ホルダーに移動可能に設けられ、前記角度保持部材に向けて付勢されている角度保持ピンと、を有し、前記取付具と前記首ホルダーとは相対的に回転可能に連結されており、前記角度保持ピンが前記複数の角度保持孔のうちのいずれか１つに入り込むことによって、前記首ホルダーと前記取付具との角度が保持され、前記取付具は樹脂により形成されており、前記角度保持部材は金属により形成されていることを特徴とする。
【考案の効果】
【０００６】
本考案によれば、首部の形状の自由度を高めつつ、強度や耐久性を確保できる。
【図面の簡単な説明】
【０００７】
【図１】図１は、本考案の実施形態に係る首部の構造が適用できる扇風機の構成例を模式的に示す斜視図である。
【図２】図２は、本考案の実施形態に係る首部の構造の例を模式的に示す分解斜視図である。
【図３】図３は、首ホルダーの構成例を模式的に示す斜視図である。
【図４】図４は、取付具の構成例を模式的に示す斜視図である。
【図５】図５は、本考案の実施形態に係る首部の構造の構成例を模式的に示す斜視図である。
【図６】図６は、本考案の実施形態に係る首部の構造の構成例を模式的に示す断面図である。
【考案を実施するための形態】
【０００８】
以下に、本考案の実施形態について、図面を参照して詳細に説明する。各図において、扇風機の上側を矢印「Ｕｐ」で示し、下側を矢印「Ｄｗ」で示す。本考案の実施形態に係る首部の構造が適用された扇風機として、スタンド型の業務用扇風機を示す。業務用扇風機は、例えば「工場扇」や「工業扇」などと呼ばれることがある。業務用扇風機は、工場や事務所などでの使用に適した扇風機であり、一般家庭で使用する扇風機に比較して強い風を出す。ただし、本考案が適用される首部の構造は、スタンド型の業務用扇風機に限定されるものではない。本考案は、スタンド型のみならず、壁掛け型や床置き型の扇風機にも適用できる。また、本考案は、業務用扇風機のみならず、家庭用の扇風機にも適用できる。
【０００９】
まず、本考案の実施形態に係る首部４の構造が適用できる扇風機１の全体構成の例について、図１を参照して説明する。図１は、本考案の実施形態に係る首部４の構造が適用できる扇風機１の構成例を、模式的に示す斜視図である。図１に示すように、扇風機１は、モーター部１４と、モーター部１４を支持する支柱１２と、支柱１２を支持するスタンド１１と、モーター部１４の前側に設けられる羽根１７と、羽根１７を覆う前ガード１５および後ガード１６とを有する。
【００１０】
モーター部１４は、羽根１７の回転およびモーター部１４の首振りの駆動源であるモーター１４１と、モーター１４１の動力によってモーター部１４を首振り動作させるための首振り機構と、モーター１４１および首振り機構を覆うカバー部材１４２とを有する。羽根１７はモーター１４１の回転軸に取付けられ、後ガード１６はモーター１４１の前側に取付けられ、前ガード１５は後ガード１６の前側に取付けられる。なお、モーター部１４、羽根１７、前ガード１５、後ガード１６の構成は特に限定されるものではなく、従来公知の各種の構成が適用できる。
【００１１】
モーター部１４は、本実施形態に係る首部４によって、支柱１２に対して上下方向（チルト方向）に回転可能に連結される。このため、モーター部１４を上下方向に回転させる（水平方向に延伸する軸線を中心として）ことにより、モーター部１４の上下方向の向き（チルト角度）を変更できる。また、モーター部１４は、首部４によって、首振り可能に支持される。
【００１２】
支柱１２（主軸）は、後述する首部４を介してモーター部１４を支持する部材である。支柱１２には、たとえば金属からなる円筒状の部材が適用できる。支柱１２は、スタンド１１により支持される。図１においては、スタンド１１として三脚が適用される構成を例に示すが、スタンド１１の構成は特に限定されない。スタンド１１は、支柱１２の延伸方向（軸線方向）が重力方向に平行となるように（例えば、扇風機１の設置面に直角となるように）支持できる構成であればよい。
【００１３】
図２は、本実施形態に係る首部４の構造の例を模式的に示す分解斜視図である。図３は、本実施形態に係る首部４の構造に含まれる首ホルダー５の構成例を模式的に示す外観斜視図である。図４は、本実施形態に係る首部４の構造に含まれる取付具６の構成例を模式的に示す断面図である。図５は、首部４が組み付けられた状態を模式的に示す外観斜視図である。
【００１４】
図２〜図４に示すように、本実施形態に係る首部４は、首ホルダー５と、取付具６と、第１の付勢部材４３と、角度保持部材７と、角度保持ピン４４と、第２の付勢部材４５と、連結ボルト４１と、ナット４２とを有する。第１の付勢部材４３と角度保持ピン４４と第２の付勢部材４５は、首ホルダー５に取付けられる。角度保持部材７は、取付具６に取付けられる。そして、首ホルダー５と取付具６とは、連結ボルト４１とナット４２によって、連結ボルト４１の軸線（中心線）を中心として相対的に回転可能に連結される。首ホルダー５と取付具６とを相対的に回転させることにより、モーター部１４の上下方向の向き（チルト角度）を変更できる。
【００１５】
首ホルダー５は、モーター支持部５１と連結部５２とを有する。モーター支持部５１は、モーター部１４を首振り方向（パン方向）に回転可能に支持する部分である。連結部５２は、取付具６に上下方向（チルト方向）に相対的に回転可能に連結される部分である。首ホルダー５は樹脂材料からなり、モーター支持部５１と連結部５２とが一体に形成されている。例えば、首ホルダー５は、ガラス繊維強化ＰＰ（ポリプロピレン）などが適用できる。そして、首ホルダー５のモーター支持部５１と連結部５２とは、樹脂材料の射出成形によって一体に形成される。
【００１６】
モーター支持部５１は、モーター部１４を首振り方向に回転可能に支持する。本実施形態では、モーター部１４に設けられる支持ピン１４３を介してモーター部１４を首振り方向に回転可能に支持する構成を例に示す。具体的には、モーター部１４には下側に向かって突出する円柱状の支持ピン１４３が設けられており、首ホルダー５のモーター支持部５１には、この支持ピン１４３を挿入可能な丸孔である支持ピン挿入孔５１１が設けられている。この場合、モーター支持部５１には、支持ピン挿入孔５１１が形成された中空の円筒状の構成が適用できる。そして、モーター部１４の支持ピン１４３が首ホルダー５の連結部５２の支持ピン挿入孔５１１に挿入されると、モーター部１４は首ホルダー５のモーター支持部５１に、首振り方向に回転可能に支持される。なお、ここでいう首振り方向とは、略上下方向の軸線を中心とする円の円周方向をいうものとする。より具体的には、首ホルダー５と取付具６を回転可能に連結する連結ボルト４１の軸線方向に直角な面上（面内）の軸線を中心とする円の円周方向をいうものとする。なお、モーター支持部５１は、モーター部１４を連結ボルト４１の軸線に直角な面内（面上）の軸線を中心として回転可能に支持できる構成であればよく、具体的な構成は限定されない。
【００１７】
首ホルダー５のモーター支持部５１には、フランジ部５３が一体に設けられる。フランジ部５３は、例えば、支持ピン挿入孔５１１の軸線方向に直角な方向に延伸する板状の構成が適用される。このフランジ部５３には、首振り機構のリンク部材が連結される。そして、モーター部１４とモーター支持部５１とは、モーター１４１の回転動力により動作する首振り機構によって、支持ピン挿入孔５１１の軸線を中心に相対的に回転運動（揺動運動）する。これにより、モーター部１４が首振り動作する。また、このフランジ部５３には、外部からモーター１４１に電源を供給するための電源コード１８を挿通するための開口部（貫通孔）が設けられる。なお、フランジ部５３の構成は特に限定されるものではない。
【００１８】
首ホルダー５の連結部５２には、連結ボルト４１を挿通するための連結ボルト挿通孔５２１と、角度保持ピン４４を収容するための角度保持ピン収容部５２２と、第１の付勢部材４３を収容するための付勢部材収容部５２３とが設けられる。連結部５２には、例えば、軸線（中心線）が水平方向（換言すると、支柱１２の軸線に直角な方向）に平行な円柱状や円盤状（ドラム状）の構成が適用できる。この場合、連結ボルト挿通孔５２１は、連結部５２の軸線方向に貫通する貫通孔が適用され、連結部５２の軸線方向の端面の中心に設けられる。
【００１９】
角度保持ピン収容部５２２は、角度保持ピン４４を連結ボルト挿通孔５２１の軸線に平行な方向に往復移動可能に収容できる部分である。角度保持ピン収容部５２２には、例えば、有底の凹部が適用できる。そして、図３に示すように、連結部５２の軸線方向の一方の端面の外周縁部近傍に設けられる。なお、角度保持ピン収容部５２２の具体的な構成は特に限定されるものではない。角度保持ピン収容部５２２は、角度保持ピン４４を連結ボルト挿通孔５２１の軸線に平行な方向に往復移動可能に収容できる構成であればよい。
【００２０】
付勢部材収容部５２３は、第１の付勢部材４３を収容可能な部分である。付勢部材収容部５２３は、図３に示すように、連結部５２の角度保持ピン収容部５２２が設けられる側の端面とは反対側の端面に設けられる。付勢部材収容部５２３には、例えば有底の凹部が適用できる。また、連結部５２には、付勢部材係止部５２４が設けられる。付勢部材係止部５２４は、第１の付勢部材４３の一方のアーム部４３１（後述）が係止する部分である。例えば、付勢部材係止部５２４は、付勢部材収容部５２３の内周面から中心側（連結ボルト挿通孔５２１の側）に向かって張り出す構造が適用される。そして、付勢部材収容部５２３に収容された第１の付勢部材４３の一方のアーム部４３１が付勢部材係止部５２４に係止することにより、第１の付勢部材４３が連結ボルト挿通孔５２１の軸線を中心として首ホルダー５に対して回転することが規制される。なお、付勢部材収容部５２３は、第１の付勢部材４３を収容できる構成であればよく、具体的な構成は限定されない。また、付勢部材係止部５２４は、第１の付勢部材４３の一部分が係止することにより、第１の付勢部材４３が首ホルダー５に対して回転することが規制される構成であればよく、具体的な構成（形状など）は限定されない。
【００２１】
取付具６は、支柱固定部６１と２つの支持部６２ａ，６２ｂをと有する。支柱固定部６１は、支柱１２の上端部に取付けられて固定される部分である。２つの支持部６２ａ，６２ｂは、首ホルダー５の連結部５２を回転可能に支持する部分である。取付具６は樹脂材料からなり、支柱固定部６１と２つの支持部６２ａ，６２ｂとが一体に形成されている。例えば、取付具６の支柱固定部６１と２つの支持部６２ａ，６２ｂとは、樹脂材料の射出成形によって一体に形成される。取付具６の樹脂材料としては、例えばＡＢＳなどが適用できる。
【００２２】
支柱固定部６１は、支柱１２に固定される部分であり、支柱１２の構成に応じた構成を有する。本実施形態では、支柱１２が円筒状の部材である例を示す。この場合、取付具６の支柱固定部６１には、円柱状の支柱１２に固定できるように、下端側が開口し上端側が塞がっている円筒状の構成が適用できる。また、支柱固定部６１には、支柱１２に締結する固定ネジを挿通可能な貫通孔である固定ネジ挿通孔６１１が設けられる。そして、支柱固定部６１が支柱１２の上端部に上側から被せるように装着され、固定ネジが固定ネジ挿通孔６１１を通じて支柱１２に締結されると、取付具６が支柱１２に回転や移動できないように固定される。なお、支柱固定部６１の構成は特に限定されるものではない。支柱固定部６１は支柱１２に固定できる構成であればよく、支柱１２の構成に応じて適宜設定される。
【００２３】
２つの支持部６２ａ，６２ｂは、支柱固定部６１から上側（モーター部１４の側）に向かって延出する平板状の構成を有する。２つの支持部６２ａ，６２ｂは、水平方向（支柱１２の軸線に直角な方向）に所定の距離をおいて互いに離れて設けられる。２つの支持部６２ａ，６２ｂの内側面６０１（互いに対向する側の面をいう。以下同じ。）は略平行である。また、内側面６０１どうしの距離は、それらの間に首ホルダー５の連結部５２を挿入できる距離に設定される。具体的には、２つの支持部６２ａ，６２ｂの内側面６０１どうしの距離は、首ホルダー５の連結部５２の軸線方向寸法（連結ボルト挿通孔５２１の軸線方向の寸法）と略同じか、首ホルダー５の連結部５２の軸線方向寸法にマージン分などが加えられた距離に設定される。また、２つの支持部６２ａ，６２ｂには、連結ボルト４１を挿通可能な貫通孔である連結ボルト挿通孔６２６が設けられる。さらに、一方の支持部６２ａの外側面６０２には、連結ボルト４１の頭部や座金を嵌め込むことができる凹部（図略）が、連結ボルト挿通孔６２６の外周側に同軸に設けられる。他方の支持部６２ｂの外側面６０２（内側面６０１と反対側の面をいう。以下同じ）には、ナット４２が係合可能な凹部であるナット係合凹部６２５が、連結ボルト挿通孔６２６の外周側に同軸に設けられる。
【００２４】
２つの支持部６２ａ，６２ｂのうちの一方の支持部６２ａの内側面６０１には、角度保持部材係合凹部６２１が設けられ、当該一方の支持部６２ａの内側面６０１の近傍には、角度保持部材保持部６２２が設けられる。角度保持部材係合凹部６２１は、角度保持部材７を嵌め込むことができる凹部である。角度保持部材係合凹部６２１の寸法および形状は、角度保持部材７の寸法および形状と略同じでよい。ただし、角度保持部材係合凹部６２１の形状および寸法は特に限定されるものではない。要は、角度保持部材係合凹部６２１は、角度保持部材７を嵌め込むことができる構成であればよい。
【００２５】
角度保持部材保持部６２２は、角度保持部材７が一方の支持部６２ａに設けられる角度保持部材係合凹部６２１に嵌まり込んだ状態に保持する機能を有する部分である。また、角度保持部材保持部６２２は、角度保持部材７が当該一方の支持部６２ａに対して移動しないように（特に回転しないように）保持する機能も有する。本実施形態では、角度保持部材係合凹部６２１が設けられる支持部６２ａの付け根部（支柱固定部６１の上面）から上側に向かって延出する板状（舌片状）の構成を有する。そして、角度保持部材７の一部分である被保持部７４が、角度保持部材係合凹部６２１の内側面６０１と角度保持部材保持部６２２との間に差し込まれると、角度保持部材７は一方の支持部６２ａに保持される。なお、角度保持部材保持部６２２の構成は特に限定されるものではない、要は、角度保持部材７を一方の支持部６２ａに保持できる構成であればよい。
【００２６】
他方の支持部６２ｂの内側の面の付け根部の近傍には、第１の付勢部材４３が係止する付勢部材係止部６２３が設けられる。本実施形態では、付勢部材係止部６２３は、第１の付勢部材４３の一方のアーム部４３１を差し込むことができるように、他方の支持部６２ｂの内周面に沿って設けられる筒状の構成を有する例を示す。なお、付勢部材係止部６２３は、第１の付勢部材４３を、首ホルダー５と取付具６の相対的な回転方向（連結ボルト挿通孔６２６と同軸の円の円周方向）に係止できる構成であればよく、具体的な構成は限定されない。
【００２７】
角度保持部材７は、取付具６よりも硬く、かつ、耐摩耗性の高い金属材料からなる部材である。取付具６がＡＢＳなどの樹脂材料から形成される構成であれば、角度保持部材７にはステンレス板などの金属の板材が適用できる。この場合、角度保持部材７は、プレス加工によって製造できる。なお、角度保持部材７は、取付具６よりも硬く、かつ、耐摩耗性が高い金属材料からなる構成であればよく、ステンレスに限定されない。ただし、強度や耐久性の観点からは、できるだけ硬く、かつ耐摩耗性の高い材料であることが好ましい。
【００２８】
角度保持部材７には、連結ボルト挿通孔７１と、複数の角度保持孔７２と、２つの回転規制部７３とが設けられる。連結ボルト挿通孔７１は、連結ボルト４１を挿通できる貫通孔であり、角度保持部材７の厚さ方向に貫通する。複数の角度保持孔７２は、後述する角度保持ピン４４の先端部が入り込むことができる貫通孔である。そして、複数の角度保持孔７２は、連結ボルト挿通孔７１と同心の円の円周方向に所定の間隔で並ぶように設けられる。具体的には、首ホルダー５と取付具６とが連結された状態で、首ホルダー５の連結部５２の角度保持ピン収容部５２２に収容された角度保持ピン４４の先端部が入り込むことができる位置に設けられる。２つの回転規制部７３は、首ホルダー５と取付具６の相対的な回転の範囲（すなわち、モーター部１４のチルト角度の可動範囲）を規制する部分である。本実施形態では、２つの回転規制部７３として、角度保持部材７に一体に設けられる突起部が適用される。すなわち、２つの回転規制部７３は、角度保持部材７と別体の部材が取付けられる構成ではなく、角度保持部材７の一部として設けられる。回転規制部７３は、例えばプレス加工によって形成される。２つの回転規制部７３は、連結ボルト挿通孔７１と同心の円上に並べて配置される複数の角度保持孔７２の円周方向外側に設けられる。換言すると、連結ボルト挿通孔７１と同心の円上に２つの回転規制部７３が設けられ、当該円上であって２つの回転規制部７３の間に複数の角度保持孔７２が円周方向に並べて設けられる。したがって、角度保持孔７２および回転規制部７３の位置は、首ホルダー５の連結部５２に設けられる角度保持ピン収容部５２２の位置に応じて設定される。なお、角度保持ピン４４の数および間隔は特に限定されるものではない。
【００２９】
第１の付勢部材４３は、首ホルダー５と取付具６とを連結ボルト４１の軸線を中心とする円の円周方向に付勢する部材である。本実施形態では、第１の付勢部材４３として、２本のアーム部４３１を有するねじりバネが適用される例を示す。そして、２本のアーム部４３１の一方が首ホルダー５の付勢部材係止部５２４に係止し、他方が取付具６の付勢部材係止部６２３に係止する（挿入される）ことにより、首ホルダー５と取付具６とは、連結ボルト４１の軸線と同心の円の円周方向に相対的に付勢される。
【００３０】
角度保持ピン４４は、角度保持部材７の角度保持孔７２に嵌まり込むことによって、首ホルダー５と取付具６の相対的な角度を保持する。そしてこれにより、モーター部１４のチルト角度を保持する。角度保持ピン４４は、ピン収容孔に往復動移動可能に収容可能な棒状の構成を有し、その先端部は半球状や錐状などの先細り形状を有する。第２の付勢部材４５は、角度保持ピン４４を角度保持部材７に向けて（角度保持ピン収容部５２２から抜け出る方向に）付勢する部材である。第２の付勢部材４５には、例えば、弾性圧縮変形可能な圧縮コイルばねが適用できる。
【００３１】
次に、首部４の組み付け構造について説明する。
【００３２】
首ホルダー５の連結部５２に設けられる角度保持ピン収容部５２２には、第２の付勢部材４５と角度保持ピン４４とが収容される。角度保持ピン収容部５２２に収容された角度保持ピン４４は、第２の付勢部材４５の付勢力によって、角度保持ピン収容部５２２から抜け出る方向に付勢される。また、首ホルダー５の連結部５２に設けられる付勢部材収容部５２３には、第１の付勢部材４３が収容される。前述のとおり、第１の付勢部材４３に捩じりコイルばねが適用される構成であれば、一方のアーム部４３１が連結部５２に設けられる付勢部材係止部５２４に係止（当接）する。また、他方のアーム部４３１は、連結部５２から半径方向外側に突出している。本実施形態では、連結部５２の軸線方向の端面に、第１の付勢部材４３のアーム部４３１との干渉を避けるための凹部５２５（切欠き）が設けられており、前記他方のアーム部４３１は、この凹部５２５を介して連結部５２の外部に突出する。
【００３３】
取付具６の角度保持部材係合凹部６２１には、角度保持部材７が嵌め込まれる。そして、角度保持部材７の一部分である被保持部７４が、角度保持部材係合凹部６２１の壁面と角度保持部材保持部６２２とによって挟持される。これにより、角度保持部材７は、角度保持部材係合凹部６２１に入り込んだ状態に保持され、かつ、取付具６に対して回転しない状態に保持される。また、角度保持部材７に設けられる連結ボルト挿通孔７１と、取付具６の支持部６２ａ，６２ｂに設けられる連結ボルト挿通孔６２６とは、同軸に位置する。
【００３４】
首ホルダー５の連結部５２は、取付具６の２つの支持部６２ａ，６２ｂどうしの間に配置される。すなわち、首ホルダー５の連結部５２は、取付具６の２つの支持部６２ａ，６２ｂに挟まれる。そして、連結ボルト４１とナット４２によって首ホルダー５と取付具６とが相対的に回転可能に連結される。連結ボルト４１は、取付具６の２つの支持部６２ａ，６２ｂに設けられる連結ボルト挿通孔６２６と、角度保持部材７に設けられる連結ボルト挿通孔７１と、首ホルダー５の連結部５２に設けられる連結ボルト挿通孔５２１とに挿通された状態となる。したがって、この状態では、首ホルダー５と取付具６とは、連結ボルト４１の軸線を中心として相対的に回転可能となる。
【００３５】
第１の付勢部材４３の一方のアーム部４３１は、取付具６に設けられている付勢部材係止部６２３に係止する。このため、首ホルダー５と取付具６とは、第１の付勢部材４３によって、連結ボルト４１と同軸の円周方向に互いに反対側に付勢される。第１の付勢部材４３の付勢力によって、モーター部１４の重量による連結ボルト４１の軸線を中心とするモーメントが低減される。これにより、モーター部１４の上下方向の向き（チルト角度）の変更や保持に要する力の低減を図る。
【００３６】
図６は、首部４の組み付け構造を示す図であり、首部４を構成する部材の一部を切り欠いた図である。図６に示すように、角度保持ピン４４は、第２の付勢部材４５によって、角度保持部材７に向けて付勢される。そして、角度保持ピン４４の先端部が複数の角度保持孔７２のうちの任意の１つに入り込むことにより、首ホルダー５と取付具６の相対的な角度が保持され、モーター部１４のチルト角度が保持される。モーター部１４のチルト角度を変更する場合には、モーター部１４にチルト方向の外力を加えればよい。モーター部１４に上下方向の外力が加わると、首ホルダー５と取付具６には、連結ボルト４１の軸線を中心として相対的に回転させる力（モーメント）が掛かる。この力が大きくなると、角度保持ピン４４は第２の付勢部材４５の付勢力に抗して角度保持ピン収容部５２２に入り込む方向に移動し、角度保持孔７２から抜け出る。そして、モーター部１４を上下方向に回転させることにより、角度保持ピン４４は他の角度保持孔７２に入り込む。これにより、モーター部１４のチルト角度が変更されるとともに、変更されたチルト角度が保持される。前記のとおり、複数の角度保持孔７２は、角度保持部材７の連結ボルト挿通孔７１と同軸の円の円周上に並べて設けられる。したがって、首ホルダー５と取付具６とが連結ボルト４１の軸線を中心に相対的に回転すると、角度保持ピン４４は複数の角度保持孔７２のうちのいずれか１つに選択的に入り込むことができる。また、角度保持部材７には２つの回転規制部７３が設けられ、角度保持ピン４４は２つの回転規制部７３の間に位置する。このため、首ホルダー５と取付具６とは、角度保持ピン４４が一方の回転規制部７３に接触する位置から他方の回転規制部７３に接触するまでの範囲内で相対的に回転可能である。このように、２つの回転規制部７３によって、首ホルダー５と取付具６の相対的な回転可能な範囲、すなわち、モーター部１４の上下方向の回転角度の範囲が規制される。
【００３７】
このように、上下方向の向き（チルト角度）を変更する際には、角度保持ピン４４の先端部により角度保持孔７２の内周面には連結ボルト４１の軸線を中心とする回転方向の力かが掛かるとともに、接触した状態で互いに移動する。また、ある所定のチルト角度に保持されている間においても、モーター部１４の重さや第１の付勢部材４３の付勢力などによって、角度保持孔７２の内周面には、角度保持ピン４４により、連結ボルト４１の軸線を中心とする回転方向の力が掛かる。このため、首部４の耐久性の向上を図るためには、角度保持孔７２が設けられる部材は、硬くかつ耐摩耗性が高い材料からなることが好ましい。本実施形態では、角度保持孔７２は取付具６に設けられるのではなく、金属からなる角度保持部材７に設けられる。このような構成であれば、首部４の耐久性の向上を図ることができる。さらに、２つの回転規制部７３は、金属からなる角度保持部材７に設けられる構成であると、樹脂からなる取付具６に設けられる構成と比較して、強度と耐久性の向上を図ることができる。また、取付具６は樹脂材料により形成されるため、金属板から形成される構成に比較して、形状の自由度を高めることができる。このように、本実施形態によれば、首部４の意匠の自由度を高めつつ、強度や耐久性の向上を図ることができる。
【００３８】
以上、本考案の実施形態について図面を参照して詳細に説明したが、前記実施形態は、本考案の実施にあたっての具体例を示したに過ぎない。本考案の技術的範囲は、前記実施形態に限定されるものではない。本考案は、その趣旨を逸脱しない範囲において、種々の変更が可能であり、それらも本考案の技術的範囲に含まれる。
【産業上の利用可能性】
【００３９】
本考案は、扇風機に有効な技術である。そして、本考案によれば、扇風機の首部の耐久性の向上とデザインの自由度の向上を図ることができる。
【符号の説明】
【００４０】
１：扇風機
１１：スタンド
１２：支柱（主軸）
１４：モーター部
１４１：モーター
１４２：カバー部材
１４３：支持ピン
１５：前ガード
１６：後ガード
１７：羽根
１８：電源コード
４：首部
４１：連結ボルト
４２：ナット
４３：第１の付勢部材
４３１：アーム部
４４：角度保持ピン
４５：第２の付勢部材
５：首ホルダー
５１：モーター支持部
５１１：支持ピン挿入孔
５２：連結部
５２１：連結ボルト挿通孔
５２２：角度保持ピン収容部
５２３：付勢部材収容部
５２４：付勢部材係止部
５２５：（付勢部材逃がし）凹部
５３：フランジ部
６：取付具
６０１：内側面
６０２：外側面
６１：支柱固定部
６１１：固定ネジ挿通孔
６２ａ：支持部
６２ｂ：支持部
６２１：角度保持部材係合凹部
６２２：角度保持部材保持部
６２３：付勢部材係止部
６２５：ナット係合凹部
６２６：連結ボルト挿通孔
７：角度保持部材
７１：連結ボルト挿通孔
７２：角度保持孔
７３：回転規制部
７４：被保持部
【図１】
0003215502.tif 000003
【図２】
0003215502.tif 000004
【図３】
0003215502.tif 000005
【図４】
0003215502.tif 000006
【図５】
0003215502.tif 000007
【図６】
0003215502.tif 000008
【手続補正書】
【提出日】平成30年1月23日(2018.1.23)
【手続補正１】
【補正対象書類名】実用新案登録請求の範囲
【補正対象項目名】全文
【補正方法】変更
【補正の内容】
【実用新案登録請求の範囲】
【請求項１】
支柱とモーター部とを連結する扇風機の首部の構造であって、
前記首部は、
前記支柱に取付けられている取付具と、
前記取付具に取付けられており、複数の角度保持孔が設けられている角度保持部材と、
前記モーター部に取付けられている首ホルダーと、
前記首ホルダーに移動可能に設けられ、前記角度保持部材に向けて付勢されている角度保持ピンと、
を有し、
前記取付具と前記首ホルダーとは相対的に回転可能に連結されており、前記角度保持ピンが前記複数の角度保持孔のうちのいずれか１つに入り込むことによって、前記首ホルダーと前記取付具との角度が保持され、
前記取付具は樹脂により形成されており、前記角度保持部材は金属により形成されていることを特徴とする扇風機の首部の構造。
【請求項２】
前記取付具は、前記首ホルダーを挟む２つの支持部を有し、
前記角度保持部材は、前記２つの支持部のうちの一方に取付けられていることを特徴とする請求項１に記載の扇風機の首部の構造。
【請求項３】
前記２つの支持部のうちの前記一方には、前記２つの支持部のうちの他方に対向する側の面に凹部が設けられており、
前記角度保持部材は、前記凹部に嵌め込まれていることを特徴とする請求項２に記載の扇風機の首部の構造。
【請求項４】
前記取付具には、前記角度保持部材を保持する保持部が設けられることを特徴とする請求項３に記載の扇風機の首部の構造。
【請求項５】
前記角度保持部材の一部分は、前記２つの支持部のうちの前記一方と前記保持部とに挟まれて保持されることを特徴とする請求項４に記載の扇風機の首部の構造。
【請求項６】
前記角度保持部材は、板状の部材であることを特徴とする請求項１から５のいずれか１項に記載の扇風機の首部の構造。